(57)【要約】データセンターから離れた場所において複数の電子機器ユニットをあらかじめ設置可能な統合セルが本明細書に記載されている。１つ以上のあらかじめ設置された統合セルは、１つの標準輸送パレットでデータセンターの場所に輸送し、標準的な入り口を通り、標準的なエレベータを使用してデータセンターに移動することができる。データセンター内で、統合セルは耐震電子機器収納ラックに挿入することができ、複数の電子機器ユニットの一括的な設置又は撤去が可能になる。【選択図】図１１
2019525497.tif 000002
【特許請求の範囲】
【請求項１】
上壁と、下壁と、第１の側壁と、第２の側壁と、を有するハウジングを備えた電子機器ラック用の統合セルであって、
前記第１の側壁及び前記第２の側壁が、前記上壁及び前記下壁に反対側で接続されて矩形キャビティを画定し、
前記統合セルが、前記矩形キャビティ内に１つ以上の電子機器ユニットを支持するように構成され、
データセンターの場所に輸送される前に、前記統合セルに前記１つ以上の電子機器ユニットがあらかじめ設置され、
前記ハウジングが、輸送中に前記１つ以上の電子機器ユニットを保護する、統合セル。
【請求項２】
前記ハウジングが、１つ以上の切欠きを備えてよく、
前記１つ以上の切欠きが、動作中に前記１つ以上の電子機器ユニットを換気する働きをし、
前記１つ以上の切欠きが、前記統合セルの全重量を軽くする働きをする、請求項１に記載の統合セル。
【請求項３】
前記ハウジングがさらに、前記第１の側壁及び前記第２の側壁の前縁に沿って配置された１つ以上のストッパフランジを備え、
前記１つ以上のストッパフランジが、電子機器シャーシが前記統合セル内に設置されるときに、前記電子機器シャーシの少なくとも１つの面と係合して前記電子機器シャーシの前記矩形キャビティへのさらなる進入を防止するように構成され、
前記電子機器シャーシが、１つ以上の電子機器ユニットを収納するように構成される、請求項１に記載の統合セル。
【請求項４】
前記ハウジングがさらに、前記統合セルが電子機器ラック内に設置されるときに、前記電子機器ラックの面と係合して前記統合セルの前記電子機器ラックの開口部へのさらなる進入を防止するように構成された１つ以上のストッパフランジを備える、請求項１に記載の統合セル。
【請求項５】
前記ハウジングがさらに、電子機器シャーシを前記統合セルに固定するための１つ以上の電子機器シャーシ取付けフランジを備える、請求項１に記載の統合セル。
【請求項６】
前記ハウジングがさらに、前記統合セルを電子機器ラックに固定するための１つ以上の貫通孔を備える、請求項１に記載の統合セル。
【請求項７】
前記統合セルの幅が、標準的な輸送パレット又は同等の多様な輸送ユニットの幅の半分未満である、請求項１に記載の統合セル。
【請求項８】
前記統合セルの長さが、標準的な輸送パレット又は同等の多様な輸送ユニットの長さ以下である、請求項１に記載の統合セル。
【請求項９】
少なくとも１つの任意選択的な装備品をさらに備える、請求項１に記載の統合セル。
【請求項１０】
各々が複数の垂直部材と、前記垂直部材に異なる高さで接続された複数の水平部材と、を備え、１つ以上の統合セル開口部を画定する１つ以上の収納ラックと、
前記１つ以上の収納ラックの前記１つ以上の統合セル開口部に位置する請求項１に記載の１つ以上の統合セルと、を備え、
前記１つ以上の統合セルに、前記１つ以上の収納ラックがあるデータセンターの場所に輸送される前に、１つ以上の電子機器ユニットがあらかじめ設置される、
電子機器ラックシステム。
【請求項１１】
電子機器ユニットをデータセンターにおける電子機器収納ラックに一括設置する方法であって、
１つ以上の電子機器ユニットを第１の場所において統合セル内に設置することと、
１つ以上の設置された電子機器ユニットを有する１つ以上の統合セルを、前記第１の場所において標準的な輸送パレットに固定することと、
前記標準的な輸送パレットを前記第１の場所から、電子機器収納ラックを備えたデータセンターを有する第２の場所に輸送することと、
前記１つ以上の統合セルを前記第２の場所にある前記データセンター内の前記電子機器収納ラック内に設置することと、
を含む、方法。
【請求項１２】
１つ以上の電子機器収納ラックを第１の場所にあるデータセンター内に設置することをさらに含む、請求項１１に記載の方法。
【発明の詳細な説明】
【技術分野】
【０００１】
関連出願の相互参照
[01]  本出願は、２０１６年６月２４日出願の米国仮特許出願第６２／３５４，６２０号の優先権を主張する。
【０００２】
[02]  本開示は、高密度電子機器収納システム及び電子機器収納管理に係り、より具体的には、高密度電子機器ラックに載置される電子及び非電子機器用の取り外し可能な収納ユニットのためのシステムに関する。
【背景技術】
【０００３】
[03]  データセンターは、電源、メモリユニット、ネットワーク機器及びサーバなどの複数の電気部品のために電源及び冷却条件を最適化するように設計及び構築されている。これらがデータセンターに導入されて以来、これらの電気装置の大部分は、ラックマウント型の電子機器シャーシに収まるように適合されてきた。ラックマウント型の電気機器シャーシは、一般的に電気部品全体にかなりの重量を加えるスチール製の金属薄板で構成される。そしてデータセンターにおいて、電子機器を収容するスチール製の機器シャーシが標準装置ラックに取り付けられる。
【０００４】
[04]  一般に機器ラックは、高さが約６フィートの「全高さ」や、高さが約３フィートの「半高さの」ラックなどの標準サイズで製造される。機器ラックは、測定単位が１．７５インチ（４４．４５ｍｍ）に等しい「ラックユニット」、「ＲＵ」又は「Ｕ」と呼ばれる標準的尺度を基準にして高さが可変の電子機器を収容するように設計される。したがって、標準的な全高さの４２Ｕ機器ラックは、４２個の１Ｕ電子コンポーネント機器シャーシ又は２１個の２Ｕ電子コンポーネント機器シャーシを収納し得る。１９インチのラック取付け具は、垂直に起立する２つの平行な金属片（通常は「ポスト」、「パネルマウント」及び「ラックレール」と呼ばれる）を備える。ポストは幅が０．６２５インチ（１５．８８ｍｍ）で、電子機器シャーシの取付けのために１７．７５インチ（４５０．８５ｍｍ）の距離だけ離れており、したがって、１９インチ（４８２．６ｍｍ）の前面機器取付け幅をもたらし、最小高さが１Ｕ、すなわち１．７５インチ（４４．４５ｍｍ）で、機器の最大幅を１７．７５インチ（４５０．８５ｍｍ）に実質的に制限する。
【０００５】
[05]  当初は「リレーラック」として知られていた電子機器ラックは、最初は１９世紀末期の電気通信及び鉄道業界によって導入された１９インチの交換及び信号機器ラックからコンピュータ業界によって適用された。電子機器ラックは、当初は２つのポストを備えていたため、「２ポストラック」として一般に知られている。より大型の電子機器を収容するために、より大型の電子機器シャーシの前後を支持するための２組のラックが実装され、「４ポストラック」と呼ばれている。旧来のデータセンターは、一般に２４インチ角の除去可能な床タイルを支持する隆起した床型枠上に構築されていた。最終的に、４ポスト電子機器ラックは、隆起した床タイルのレイアウトにも合う２４インチ（６００〜６１０ｍｍ）の標準幅を有するスチール製のボックスキャビネットに統合された。旧来の電子機器ラックは、具体的な深さがメーカーにより異なるが、典型的には深さが８００ｍｍ又は１０００ｍｍである。データセンターで今日一般的に見られる業界標準の４ポストラックは、典型的にはスチール製のキャビネットに包まれ、２４インチの中心部に列をなして配置される。
【０００６】
[06]  このようなラックキャビネットシステムの問題は、キャビネットが、一般的には固定された標準高さで出荷され、通常のドアから直立した状態で入るためにかかるコストが高い組み立てられた形で出荷されることである。この旧来の機器ラック設計は、データセンターにおける水平及び垂直スペース利用を実質的に制限する。それぞれ１７．７５インチ幅の電子機器シャーシのスタックを要して２４インチ幅の水平床面積を占め、垂直スペース利用を、データセンターの天井高さや潜在的な機器密度ではなく、静的な機器ラック設計の高さに制限する。
【０００７】
[07]  多くのその他の問題は、現在のラックキャビネット構造にある。典型的なラックキャビネットは、旧来のラックマウント式機器の静荷重を処理する強度を得るために、スチール又はアルミニウム製のボックスフレーム構造からなるが、現在の設計アプローチは、特に潜在的に地震活動が活発な地理的地域における、近代的な高密度機器の追加的な動的荷重要求に対処することなく、ラックキャビネットの前面プロファイル及びフットプリントにかなりの幅と重量を追加する。現在の設計制限は、既存のラックキャビネットシステムのサイズだけではなく、総重量にも影響を及ぼし、地震活動が活発なエリアにおける潜在的な動的荷重要求を満たさないと同時に、材料使用量及び床面積の利用に大きな影響を与える。反対に、最新の動的荷重要求に対処するために利用可能な現在の耐震評価されたラックは、スチール又はアルミニウム製のボックス構造の重量及び材料使用量をより一層増加させる。これによって、全体の設置面積が減ることなく、又は最新のデータセンターにおけるスペース利用が増加することなく、ラックキャビネットシステムにさらに多くの重量、質量及びコストが追加される。
【０００８】
[08]  さらなる問題は、ラックキャビネットシステムに収容されることになる電気機器が、別々にデータセンターに出荷され、そこで各個別のコンポーネントが開梱され、個々にラックに設置されて電気的に接続されることである。これは非常に労働集約的で時間がかかる。さらに、データセンターの更改は、同様に、ラック機器をアップグレード又は交換するために各個別の電子機器の配線をほどき、ラックから取り外さなければならないため、労働集約的で時間がかかる。
【０００９】
[09]  計算及び電気通信機器は過去数十年で大きく変化したが、現代の電子機器の密度及び効率性並びにそれらの使用方法にうまく対処するための機器ラック設計には比較的わずかな変化しかなかった。これは既存のラックキャビネットシステムの大きさだけではなく、総重量にも影響を及ぼし、材料使用量及び床面積の利用に大きな影響を与える。データセンターは、密で均一な電力効率の良い機器の大規模アレイを利用してより高水準の効率を達成するために仮想化及びクラウドコンピューティングを採用しているため、ラックキャビネット機器の現在の技術は、より効率的なデータセンター設計及び既存の施設におけるスペースの利用を著しく制限する。
【発明の概要】
【発明が解決しようとする課題】
【００１０】
[10]  したがって、上記の従来のシステムに見られるこれらの大きな問題を克服するシステム及び方法が必要である。
【課題を解決するための手段】
【００１１】
[11]  従来システムに関する問題を解決するために、複数の電子機器を収容し、モジュラー式の電子機器収納ラックに挿脱可能な統合セルが本明細書において説明される。統合セルは、複数の電子機器ユニットを支持し、その内部に電子機器ユニットが固定される安全なハウジングを提供するように構成される。ハウジングはまた、輸送中に電子機器を保護する働きをし、輸送用の標準パレットに直接載置するのに適切な大きさ及び形状の安定的な構造を提供する。有利には、これによってデータセンターは、ラックに効率的に設置可能な所望の数の電子及び非電子機器ユニットを収容するあらかじめ設置が行われた統合セルを受け入れることができ、さらなる電子機器ユニットの一括的な設置及び／又は交換が可能になる。
【００１２】
[12]  一実施形態において、統合セルは、改良された拡張可能なデータセンター構成を提供し、複数の電子機器ユニットが電子機器供給者によって統合セルにあらかじめ設置され、その後標準輸送パレットでデータセンターに輸送されることが可能になる。統合セルの大きな利点は、従来の電子機器収納ラックによる解決策では達成できない電子機器供給者による電子機器ユニットの遠隔設定及び設置である。有利には、統合セルは２つの統合セルを１つの標準輸送パレット上に固定できるような大きさである。また、統合セルのハウジングは、電子機器ユニットを統合セル内で位置合わせ、固定及び位置決めする働きをし、さらに陸上、海上又は航空輸送中に電子機器ユニットを保護する働きをする。
【００１３】
[13]  統合セルは、データセンターの場所に到着すると、電子機器収納ラックに設置できるように標準的な入り口及び／又はエレベータを使用して容易にデータセンター内に移動することができる。統合セルは、有利には電子機器収納ラックに積層することができ、電子機器ユニットの高密度化を可能にする。統合セルは、電子機器収納ラックに設置されるとき、ねじ又は他の留め具を使用して収納ラックの垂直及び／又は水平コンポーネントに固定することができる。また、統合セルの収納ラックへの設置は、統合セルを適切な高さまで持ち上げて統合セルをモジュラー式電子機器収納ラックの開口部に挿入する持ち上げ機構によって達成することができる。
【００１４】
[14]  本発明の他の特徴及び利点は、以下の詳細な説明及び添付の図面を検討すれば当業者により簡単に明らかになるであろう。
【図面の簡単な説明】
【００１５】
[15]  本発明の構造及び動作は、以下の詳細な説明及び添付の図面を検討することにより理解されるであろう。図面において、同様の参照番号は同様の部分を指す。
【００１６】
【図１】[16]  本発明のある実施形態に係る例示的な統合セルを示す前面図である。
【図２】[17]  本発明のある実施形態に係る例示的な統合セルを示す側面図である。
【図３】[18]  本発明のある実施形態に係る例示的な統合セルを示す上面図である。
【図４】[19]  本発明のある実施形態に係る例示的な統合セルを示す斜視図である。
【図５】[20]  本発明のある実施形態に係る、１つの電子機器シャーシを含む例示的な統合セルを示す斜視図である。
【図６】[21]  本発明のある実施形態に係る、複数の電子機器シャーシを含む例示的な統合セルを示す斜視図である。
【図７】[22]  本発明のある実施形態に係る、複数の電子機器シャーシを含む例示的な統合セルを示す前面図である。
【図８】[23]  本発明のある実施形態に係る、複数の電子機器シャーシを含む複数の統合セルを搭載した例示的な多様な輸送ユニットである例示的な標準輸送パレットを示す前面図である。
【図９】[24]  統合セルを含まない、本発明のある実施形態に係る高密度電子機器ラックの一例である例示的な耐震電子機器収納ラックを示す斜視図である。
【図１０】[25]  本発明のある実施形態に係る、１つの統合セルで部分的に満たされた例示的な耐震電子機器収納ラックを示す斜視図である。
【図１１】[26]  本発明のある実施形態に係る、複数の統合セルで完全に満たされた例示的な耐震電子機器収納ラックを示す斜視図である。
【図１２Ａ】[27]  本発明のある実施形態に係る、複数の統合セルで完全に満たされた例示的な耐震電子機器収納ラックを示す前面図である。
【図１２Ｂ】[28]  本発明のある実施形態に係る、複数の統合セルで完全に満たされた例示的な耐震電子機器収納ラックシステムを示す前面図である。
【図１２Ｃ】[29]  本発明のある実施形態に係る、複数の統合セルで部分的に満たされた例示的な耐震電子機器収納ラックシステムを示す前面図である。
【図１３】[30]  本発明のある実施形態に係る、複数の統合セルで完全に満たされた例示的な耐震電子機器収納ラックを示す側面図である。
【発明を実施するための形態】
【００１７】
[31]  本明細書に開示されるいくつかの実施形態は、データセンターから離れて複数の電子機器をあらかじめ設置でき、標準輸送パレットでデータセンターに輸送し、耐震電子機器収納ラックに挿入できる統合セルを提供する。この説明を読めば、様々な代替的な実施形態及び代替的な適用において本発明をどのように実施するかが当業者に明らかになるであろう。しかしながら、本発明の様々な実施形態が本明細書中で説明されるが、これらの実施形態は単なる例として示され、限定でないことが理解される。したがって、この様々な代替的実施形態の詳細説明は、添付の請求項に記載された本発明の範囲又は広さを限定すると解釈すべきでない。
【００１８】
[32]  図１は、本発明のある実施形態に係る例示的な統合セル１０を示す前面図である。図示された実施形態において、統合セル１０は、ストッパフランジ２０Ａ及び２０Ｂを含むハウジング１５を備え、ストッパフランジ２０Ａ及び２０Ｂは、本明細書では電子機器シャーシ取付けフランジ２１Ａ及び２１Ｂと呼ばれる前方平面を含む。各ストッパフランジ２０Ａ及び２０Ｂは統合セル１０の前面に位置する。
【００１９】
[33]  ハウジング１５は複数の機能を有する。第１の機能は、１つ以上の電子又は非電子機器シャーシを挿入して電子機器シャーシ取付けフランジ２１Ａ及び２１Ｂに固定することができる構造を提供することであってよい。電子又は非電子機器シャーシを電子機器シャーシ取付けフランジ２１Ａ及び２１Ｂに、これらに限定されないが機械的及び／又は磁気留め具を含む１つ以上の方法によって固定することができる。第２の機能は、耐震電子機器収納ラックへの設置を容易にすることである。第３の機能は、モダリティを容易にし、統合セル１０に１つ以上の電子機器シャーシがあらかじめ設置される場所からデータセンターの場所までの陸上、海上又は航空輸送中に１つ以上の電子機器シャーシの中身を保護することであってよい。
【００２０】
[34]  統合セル１０の利点は、複数の電子機器の電子機器の供給者による遠隔設置及び設定（例えば配線）を可能にすること、及びデータセンターにおける複数のあらかじめ設定された電子機器の一括挿入及び撤去を可能にすることである。また、これらに限定されないが、機器取付けレール、シェルフシステム、ワイヤ管理システム、冷却ユニット、防護ドア及びその他の金属薄板、押出もしくは成形冶具を含む複数の任意選択的な装備品を、任意の与えられた実施態様の特殊要求を満たすために取り付ける又は結合することもできる。
【００２１】
[35]  電子機器シャーシ取付けフランジ２１Ａ及び２１Ｂは、電子機器シャーシが統合セル１０に設置されるときに電子機器シャーシの対応する面と係合する面を提供し、電子機器シャーシが統合セル１０に固定されることを可能にする。
【００２２】
[36]  ストッパフランジ２０Ａ及び２０Ｂは、統合セル１０が電子機器収納ラックに挿入されるときに電子機器収納ラック上の対応する面と係合して固定する面を提供する働きをする。
【００２３】
[37]  図２は、本発明のある実施形態に係る例示的な統合セル１０を示す側面図である。図示された実施形態において、統合セル１０は、ハウジング１５と、電子機器シャーシ取付けフランジ２１を有するストッパフランジ２０と、を備える。図示された実施形態において、ハウジング１５は、任意選択的に側壁に１つ以上の切欠き２５を有する。切欠き２５は、統合セル１０の構造的完全性又は統合セル１０に設置された１つ以上の電子機器シャーシの中身を保護する能力を損なうことなく、統合セル１０を軽量化する。また、任意選択的な切欠き２５は、データセンターにおける動作中の電子機器の換気及び冷却を行う。
【００２４】
[38]  図３は、本発明のある実施形態に係る例示的な統合セル１０を示す上面図である。図示された実施形態において、統合セル１０は、電子機器シャーシ取付けフランジ２１Ａ及び２１Ｂを有するストッパフランジ２０Ａ及び２０Ｂと、上壁又は統合セル１０の１つ以上の任意選択的な切欠き２５と、を備える。
【００２５】
[39]  図４は、本発明のある実施形態に係る例示的な統合セル１０を示す斜視図である。図示された実施形態において、統合セル１０は、電子機器シャーシ取付けフランジ２１Ａ及び２１Ｂを有するストッパフランジ２０Ａ及び２０Ｂと、ハウジング１５の各壁の１つ以上の任意選択的な切欠き２５と、を備える。ハウジング１５は、上壁と、下壁と、第１の側壁と、第２の側壁と、を備える。図示されるように、壁の各々は、統合セルの構造的完全性を保持しながら軽量化及び冷却換気を行う１つ以上の切欠き２５を備える。
【００２６】
[40]  図５は、本発明のある実施形態に係る１つの電子機器シャーシ３０を含む例示的な統合セル１０を示す斜視図である。図示された実施形態において、電子機器シャーシ３０は、第１のシャーシフランジ２２Ａと第２のシャーシフランジ２２Ｂとを備える。各シャーシフランジ２２Ａ及び２２Ｂは、電子機器シャーシ取付けフランジ２１Ａ及び２１Ｂの各面に係合及び結合するように設計された面を備える。したがって、電子機器シャーシ３０は、あらかじめ電子機器の設置及び配線が行われ、その後統合セル１０のハウジング１５への挿入及び固定を行うことができる。統合セル１０のハウジング１５は、軽量化及び換気のためのもう１つの任意選択的な切欠き２５を備える。
【００２７】
[41]  図示された実施形態において、電子機器シャーシ３０は、１つ以上の電子機器ベイ３５を備える。１つ以上の電子機器ベイ３５の各々は、１つ以上の電子機器（図示せず）を収容するように構成される。
【００２８】
[42]  図６は、本発明のある実施形態に係る、複数の電子機器シャーシ３０を含む例示的な統合セル１０を示す斜視図である。図示された実施形態に示すように、複数の電子機器シャーシ３０がハウジング１５に固定されるとき、複数の電子機器シャーシ３０の後端は、統合セルハウジング１５の後端までは延びない。また、１つ以上の任意選択的な切欠き２５が、複数の電子機器シャーシ３０の面と隣接しないハウジング１５の後端部に位置する。有利には、ハウジング１５の後端にあるオープンスペースは、冷却換気及び空気循環を可能にし、また、統合セル１０又はデータセンターの電子機器収納ラックに固定されてもよい密結合の冷却機器及び／又は配電機器の設置に対応するハウジング１５内の領域を画定する。一実施形態において、冷却機器は、ファン、コイル、又はファン及びコイルの一部の組み合わせを含んでよい。一実施形態において、配電機器は、プラグ受けを有する電源タップ又は電力バスウェイを含んでよい。
【００２９】
[43]  図７は、本発明のある実施形態に係る複数の電子機器シャーシ３０を含む例示的な統合セル１０を示す前面図である。
【００３０】
[44]  図８は、本発明のある実施形態に係る複数の電子機器シャーシ３０を含む複数の統合セル１０を搭載した例示的な多様な輸送ユニットを示す標準輸送パレット４０の前面図である。有利には、統合セル１０は、２つの統合セル１０を標準的な４０インチ輸送パレット４０又は同程度の大きさの輸送箱（図示せず）に併置できるような大きさで、個々の電子機器（図示せず）の個装を必要とせず、かつ個々の電子機器シャーシ３０を個装することなく包まれ、パレット４０又は同程度の大きさの輸送箱（図示せず）に結合、又は固定され、輸送コスト及び包装材の浪費を大幅に削減する。輸送箱、輸送フレーム及びその他の輸送装置を含む、同程度の大きさの代替的な多様な輸送ユニットが、この図示されていない統合プラットフォームの利点を得るために使用されてもよい。
【００３１】
[45]  図９は、高密度電子機器ラックの一例である、本発明のある実施形態に係る例示的な耐震電子機器収納ラック５０を示す斜視図である。図９は耐震電子機器収納ラックを使用する例を提供するが、本発明は耐震ラックのみの使用に限定されないことに留意されたい。図示された実施形態において、ラック５０は、各々が基部６０、棚６５及び上部７０に固定された４つの垂直部材５５を備える。ラック５０のコンポーネントが共に固定されると、１つ以上の統合セルを挿入及び固定可能な地震に対して安定した構造が形成される。ラック５０は「２段」構成で示されているが、「２列」や「３段」などの代替的な構成も可能である。有利には、各ラック５０は、他のラック５０と固定されて、高さと幅を共に変えられるモジュール式の耐震電子機器収納ラックシステムを提供するように構成される。また、モジュール式の耐震電子機器収納ラックシステムは、統合セルをラックシステムに選択的に挿入することによって電子機器の密度を変えることもできる点で有利である。
【００３２】
[46]  図９はまた、以下に示され、参照によりその全体が本明細書に組み込まれる米国特許第９，５３２，４８４号にさらに詳しく説明されるように、１つ以上のラックコネクタ７５によって個々の収納ラック５０を互いに固定する際に使用される位置合わせ及び結合のための孔７１を示す。
【００３３】
[47]  図１０は、本発明のある実施形態に係る複数の電子機器シャーシ３０を有する１つの統合セル１０で部分的に満たされた例示的な耐震電子機器収納ラック５０を示す斜視図である。
【００３４】
[48]  図１１は、本発明のある実施形態に係る、各統合セル１０が複数の電子機器シャーシ３０を有する複数の統合セル１０で完全に満たされた例示的な耐震電子機器収納ラック５０を示す斜視図である。
【００３５】
[49]  図１２Ａは、本発明のある実施形態に係る、各統合セル１０が複数の電子機器シャーシ３０を有する複数の統合セル１０で完全に満たされた例示的な耐震電子機器収納ラックを示す前面図である。
【００３６】
[50]  図１２Ｂは、本発明のある実施形態に係る、各統合セル１０が複数の電子機器シャーシ３０を有する複数の統合セル１０で各々が完全に満たされた複数の個々の耐震電子機器収納ラック５０を備える例示的な耐震電子機器収納ラックシステム８０を示す前面図である。図示された実施形態において、個々の収納ラック５０は、結合孔７１とねじ又は何らかの代替形態の留め具であってよい対応結合手段とを介して互いに固定される。
【００３７】
[51]  図１２Ｃは、本発明のある実施形態に係る複数の個々の耐震電子機器収納ラック５０を備える例示的な耐震電子機器収納ラックシステム８０を示す前面図である。個々の耐震電子機器収納ラック５０の各々は、各統合セル１０が１つ以上の電子機器シャーシ３０を有する１つ以上の統合セル１０で完全に満たされるか又は部分的に満たされる。図示された実施形態において、個々の収納ラック５０は、ねじ又は何らかの代替形態の留め具を含み得る１つ以上のラックコネクタ７５によって互いに固定される。
【００３８】
[52]  図１３は、本発明のある実施形態に係る、各統合セル１０が複数の電子機器シャーシ３０を有する複数の統合セル１０によって完全に満たされた例示的な耐震電子機器収納ラック５０を示す側面図である。
【００３９】
[53]  開示された実施形態の上記の説明は、任意の当業者が本発明を実施又は使用できるように提供されている。これらの実施形態の様々な変形が当業者には容易に明らかになり、本明細書に記載の一般的な原理を、本発明の精神又は範囲から逸脱することなく他の実施形態に適用することができる。したがって、本明細書に示された記述及び図面は、本発明の現在好適な実施形態を表すことによって、本発明によって広く考えられる主題を表すことが理解されるべきである。さらに、本発明の範囲は、当業者に自明になり得る他の実施形態を完全に包含すること、したがって、本発明の範囲は限定されないことが理解される。
【図１】
2019525497.tif 000003
【図２】
2019525497.tif 000004
【図３】
2019525497.tif 000005
【図４】
2019525497.tif 000006
【図５】
2019525497.tif 000007
【図６】
2019525497.tif 000008
【図７】
2019525497.tif 000009
【図８】
2019525497.tif 000010
【図９】
2019525497.tif 000011
【図１０】
2019525497.tif 000012
【図１１】
2019525497.tif 000013
【図１２Ａ】
2019525497.tif 000014
【図１２Ｂ】
2019525497.tif 000015
【図１２Ｃ】
2019525497.tif 000016
【図１３】
2019525497.tif 000017
【国際調査報告】
2019525497.tif 000018
2019525497.tif 000019
2019525497.tif 000020